(57)【特許請求の範囲】
【請求項１】
光源である発光素子が装着された発光素子基板を覆う長尺状をなし、長手方向を法線方向とする断面の形状が凸となる凸断面形状をなす拡散性を有する透光性の主部と、
前記主部の長手方向に沿い前記主部の短手方向における両側端部となる一方の端部と他方の端部とを基端部として前記凸となる方向と反対方向にそれぞれ立ち上がる、拡散性を有する透光性の一対のカバー側壁部と、
前記一対のカバー側壁部の終端部を基端部として前記短手方向における中央部に向かって傾斜して立ち上がる一対の傾斜部と、
前記一対の傾斜部のそれぞれの終端部に形成された一対の上側支持部と、
前記凸となる方向におけるそれぞれの前記上側支持部の端部に形成された一対の下側支持部と
を備え、
前記主部は、
短手方向において、前記光源から出射され前記主部に到達する光の強さに応じた拡散度であるとともに、
前記一対の上側支持部と、前記一対の下側支持部とは第１の材料で形成されており、
前記主部と、前記一対のカバー側壁部と、前記一対の傾斜部とは、
前記第１の材料とは異なる第２の材料で形成されている光源カバー。
【請求項２】
光源である発光素子が装着された発光素子基板を覆う長尺状をなし、長手方向を法線方向とする断面の形状が凸となる凸断面形状をなす拡散性を有する透光性の主部と、
前記主部の長手方向に沿い前記主部の短手方向における両側端部となる一方の端部と他方の端部とを基端部として前記凸となる方向と反対方向にそれぞれ立ち上がる、拡散性を有する透光性の一対のカバー側壁部と、
前記一対のカバー側壁部の終端部を基端部として前記短手方向における中央部に向かって傾斜して立ち上がる一対の傾斜部と、
前記一対の傾斜部のそれぞれの終端部に形成された一対の上側支持部と、
前記凸となる方向におけるそれぞれの前記上側支持部の端部に形成された一対の下側支持部と
を備え、
前記主部は、
短手方向の両側領域の光の拡散度が、前記短手方向の中央領域よりも小さく、
前記一対の上側支持部と、前記一対の下側支持部とは第１の材料で形成されており、
前記主部と、前記一対のカバー側壁部と、前記一対の傾斜部とは、
前記第１の材料とは異なる第２の材料で形成されている光源カバー。
【請求項３】
前記主部は、
前記一方の端部と前記他方の端部とを含む前記主部の領域全体において、前記短手方向の両側領域の光の拡散度が、前記短手方向の中央領域よりも小さい請求項２に記載の光源カバー。
【請求項４】
前記主部は、
前記両側領域の光の透過率が、前記中央領域よりも大きい請求項２または請求項３に記載の光源カバー。
【請求項５】
前記主部は、
前記両側領域の厚みが、前記中央領域よりも薄い請求項２から請求項４のいずれか一項に記載の光源カバー。
【請求項６】
前記主部は、
前記長手方向を法線方向とする断面の形状が、前記カバー側壁部の立ち上がる方向と反対方向に凸となる凸断面形状をなす請求項２から請求項５のいずれか一項に記載の光源カバー。
【請求項７】
前記主部は、
前記凸断面形状の外側表面の曲率半径が、前記凸断面形状の内側表面の曲率半径と異なる請求項６に記載の光源カバー。
【請求項８】
前記主部は、
前記凸断面形状の外側表面の曲率半径が、前記凸断面形状の内側表面の曲率半径よりも小さい請求項７に記載の光源カバー。
【請求項９】
前記主部は、
前記凸断面形状の外側表面の曲率半径が、前記凸断面形状の内側表面の曲率半径と同じ長さである請求項６に記載の光源カバー。
【請求項１０】
請求項１から請求項９のいずれか一項に記載の光源カバーと、
前記光源カバーを保持する保持部と
を備える光源ユニット。
【請求項１１】
請求項１０の光源ユニットと、
前記光源ユニットが着脱可能に取り付けられる器具本体と
を備える照明器具。
【請求項１２】
光源カバーと、前記光源カバーを保持する保持部とを備える光源ユニットにおいて、
前記保持部は、
発光素子を有する発光素子基板と、
平板状をなす取付部であって一方の面に前記発光素子基板が取り付けられる取付部とを有し、
前記光源カバーは、
前記発光素子基板を覆う長尺状をなし、長手方向を法線方向とする断面の形状が凸となる凸断面形状をなす拡散性を有する透光性の主部と、
前記主部の長手方向に沿い前記主部の短手方向における両側端部となる一方の端部と他方の端部とを基端部として前記凸となる方向と反対方向にそれぞれ立ち上がる、拡散性を有する一対の透光性のカバー側壁部と、
前記一対のカバー側壁部の終端部を基端部として前記短手方向における中央部に向かって傾斜して立ち上がる一対の傾斜部と、
前記一対の傾斜部のそれぞれの終端部に形成された一対の上側支持部と、
前記凸となる方向におけるそれぞれの前記上側支持部の端部に形成された一対の下側支持部と
を有し、
前記主部は、
前記長手方向を法線方向とする断面の形状が、前記カバー側壁部の立ち上がる方向と反対方向に凸となり形状であり、短手方向を左右方向とした場合に左右対称の形状となる凸断面形状をなし、
前記発光素子は、
前記断面において、前記凸断面形状の対称軸と交わり、
前記主部は、
前記断面において、前記対称軸が前記発光素子の発光面と交わる交点と、前記凸断面形状の内側表面との距離に応じて、前記距離をなす前記内側表面の箇所における厚みが変化し、
前記一対の上側支持部と、前記一対の下側支持部とは第１の材料で形成されており、
前記主部と、前記一対のカバー側壁部と、前記一対の傾斜部とは、
前記第１の材料とは異なる第２の材料で形成されている光源ユニット。
【発明の詳細な説明】
【技術分野】
【０００１】
この発明は、照明器具に関する。
【背景技術】
【０００２】
従来から、ＬＥＤモジュールおよび直流電源装置を内蔵する長尺状の光源部と、光源部の一部が挿入される凹部を有する器具本体部とを備える照明器具であって、光源部が器具本体部に着脱自在に取り付けられる照明器具がある。
【０００３】
このような照明器具の光源ユニットでは、拡散カバー主部から照射される光の出射を拡散カバーの短手方向（光源ユニットの幅方向）での均一化のため、拡散カバー主部の拡散度を上げることで対応していた。しかし拡散度を上げた場合、光の取出効率が悪化してしまうため、効率よく光を取り出しつ、かつ、光均一性を保つことが難しかった。
【０００４】
従来では拡散性を向上させる技術は存在するものの。構造が簡易ではなかった（例えば特許文献１，２）。
【先行技術文献】
【特許文献】
【０００５】
【特許文献１】特開２０１５−１１８９４号公報
【特許文献２】特許第５６５２０１５号公報
【発明の概要】
【発明が解決しようとする課題】
【０００６】
この発明は、光源ユニットにおいて、光源ユニット２００の幅方向である短手方向の光の照射の均一化を目的とする。
【課題を解決するための手段】
【０００７】
この発明の光源カバーは、
光源である発光素子が装着された発光素子基板を覆う長尺状をなし、拡散性を有する透光性の主部を備え、
前記主部は、
短手方向において、前記光源から出射され前記主部に到達する光の強さに応じた拡散度である光源カバー。
また、この発明の光源カバーは、
光源である発光素子が装着された発光素子基板を覆う長尺状をなし、拡散性を有する透光性の主部と、
前記主部の長手方向に沿う一方の端部と他方の端部とから前記発光素子基板に向かってそれぞれ立ち上がる、対となる拡散性を有する透光性のカバー側壁部と
を備え、
前記主部は、
短手方向の両側領域の光の拡散度が、前記短手方向の中央領域よりも小さい。
【発明の効果】
【０００８】
本発明の光源カバーによれば、光源ユニットの幅方向である短手方向の光の照射の均一化を向上できる。
【図面の簡単な説明】
【０００９】
【図１】実施の形態１の図で、照明器具３００の斜視図。
【図２】実施の形態１の図で、照明器具３００を器具本体１００と光源ユニット２００とに分解した分解斜視。
【図３】実施の形態１の図で、電源装置２６０側を示す光源ユニット２００の斜視図。
【図４】実施の形態１の図で、器具本体１００の分解斜視図。
【図５】実施の形態１の図で、器具本体１００の斜視図。
【図６】実施の形態１の図で、光源ユニット２００の分解斜視図。
【図７】実施の形態１の図で、光源ユニット２００の図３に示す断面Ａ−ＡにおけるＡ−Ａ断面図。
【図８】実施の形態１の図で、光源ユニット２００の図３に示す断面Ａ−Ａに相当する断面図。
【図９】実施の形態１の図で、カバー部２３０の断面図。
【図１０】実施の形態１の図で、主部２３１の厚み変化を説明するための模式的なカバー断面図。
【図１１】実施の形態１の図で、主部２３１の厚み変化を説明するための図。
【図１２】実施の形態１の図で、主部２３１の厚み変化を説明するための別の図。
【図１３】実施の形態１の図で、主部２３１の厚み変化を説明するための、さらに別の図。
【図１４】実施の形態２の図で、照明器具３００−１の斜視図。
【図１５】図１５のＢ−Ｂ断面図。
【図１６】実施の形態２の図で、照明器具３００−２の斜視図。
【図１７】図１７のＢ−Ｂ断面図。
【図１８】実施の形態２の図で、照明器具３００−３の斜視図。
【図１９】図１９のＢ−Ｂ断面図。
【図２０】実施の形態２の図で、照明器具３００−４の斜視図。
【図２１】図２１のＢ−Ｂ断面図。
【図２２】実施の形態２の図で、照明器具３００−５の斜視図。
【図２３】図２３のＢ−Ｂ断面図。
【図２４】実施の形態２の図で、照明器具３００−６の斜視図。
【図２５】図２５のＢ−Ｂ断面図。
【００１０】
実施の形態１．
図１は照明器具３００の斜視図である。図２は照明器具３００を器具本体１００と光源ユニット２００とに分解した分解斜視図である。図３は電源装置２６０側を示す光源ユニット２００の斜視図である。図４は器具本体１１０の分解斜視図である。図５は器具本体１００の斜視図である。図６は光源ユニット２００を構成する基本部品の分解斜視図である。図７は、光源ユニット２００の図３のＡ−Ａ断面図である。図８は、図３のＡ−Ａ断面に相当する断面であり、ハーネスクランプ２７０を示す断面である。図９は、カバー部２３０の断面図である。
【００１１】
はじめに、図１〜図８を参照して照明器具３００の構成を説明する。照明器具３００は、長尺状の器具本体１００と、器具本体１００に着脱可能に取り付けられる長尺状の光源ユニット２００とを備える。実施の形態１の照明器具３００の構造的特徴は、カバー部２３０の主部２３１の厚みが、幅方向である短手方向において、幅中央部分（後述の中央領域２３７）が厚く、両側部分の（後述する両側領域２３）が薄い点である。
【００１２】
光源ユニット２００は、器具本体１００の後述する凹部１１１に一部を挿入された状態で、器具本体１００に着脱可能に取り付けられる。器具本体１００、光源ユニット２００はいずれも長尺状であるが、以下では、その長手方向を長手方向Ｘとし、長手方向Ｘに対して幅方向となる短手方向を短手方向Ｙ（図１）とする。
【００１３】
（光源ユニット２００）
図６に示すように、光源ユニット２００は、発光素子基板２１０、保持部２２０、光源カバーであるカバー部２３０、光源蓋部２４０を備える。
（１）発光素子基板２１０は発光素子２１２を有する。発光素子基板２１０は、長尺に形成された基板２１１に複数の発光素子２１２が実装される。以下の実施の形態では発光素子２１２はＬＥＤである。
（２）保持部２２０は、発光素子基板２１０が取り付けられる。図６〜図８に示すように、保持部２２０は、平板状をなす取付部２２１であって器具本体１００の平板部１１２に対向する面２２１ｂの裏面２２１ａに発光素子基板２１０が取り付けられる取付部２２１を有する。
（３）カバー部２３０は発光素子基板２１０を覆うように保持部２２０に取り付けられる。カバー部２３０は保持部２２０に取り付けられて保持部２２０に保持される。カバー部２３０は、主部２３１と、一対として設けられたカバー側壁部２３２とを有する。主部２３１は、平板部１１２の長手方向Ｘに沿う長尺状をなし発光素子基板２１０を覆う。対となるカバー側壁部２３２は、主部２３１の長手方向Ｘに沿う一方の端部２３１ａと他方の端部２３１ｂとから間に保持部２２０を挟んでそれぞれ平板部１１２の位置する方向に立ち上がる側壁部であり、対となるカバー側壁部２３２である。平板部１１２の位置する方向は、保持部２２０の一方の面２２１ａから一方の面２２１ａの反対側の他方の面２２１ｂに向かう方向である。
（４）光源蓋部２４０は光源ユニット２００の長手方向両端を塞ぐ。
（５）また、光源ユニット２００は、器具本体１００に取り付けられたバネ部１３０と係合する連結金具２５０を有する。
【００１４】
（発光素子基板２１０）
発光素子基板２１０は、長尺に形成された基板２１１と、基板２１１に直線状に実装される複数の発光素子２１２とれる複数の発光素子２１２を備えている。なお、発光素子２１２を直線状に実装する列は一列でも良く、複数列でも良い。
【００１５】
（保持部２２０）
保持部２２０は、発光素子基板２１０が取り付けられる略矩形状をした取付部２２１と、取付部２２１の長手両側辺より発光素子基板２１０が取り付けられる面２２１ａから裏面２２１ｂの方向に立設した第一の側面部２２２−１、第二の側面部２２２−２とを有している。
【００１６】
（カバー部２３０）
図６〜図１０を参照してカバー部２３０の詳細を説明する。カバー部２３０は、図９に示すように、中心軸１１を対称軸として略対象に形成されている。中心軸１１の左側側を主体として説明するが、カバー部２３０は中心軸１１に線対称で形成されているので、説明する構成は中心軸１１の右側にも当てはまる。
【００１７】
カバー部２３０は、主部２３１、カバー側壁部２３２、第一の支持部である上側支持部２３３、第二の支持部である下側支持部２３４を備える。主部２３１、一対のカバー側壁部２３２及び一対の傾斜部２３２−１は、全体が同じ材料で形成されている。この材料は、光の拡散性と、透光性とを有する。また、上側支持部２３３及び下側支持部２３４は、全体が同じ材料で形成されている。この材料は遮光性と高反射性を有し、主部２３１等を形成する材料とは異なる。図９に示すように、主部２３１は、長手方向Ｘを法線方向とする断面の形状が、カバー側壁部の立ち上がる方向と反対方向（Ｚ方向）に凸となる凸断面形状２３０Ｄをなす。凸断面形状２３０Ｄとは図９の主部２３１の断面形状をいう。
（１）主部２３１は発光素子基板２１０から照射される光を拡散する。
（２）カバー側壁部２３２は、主部２３１の両端に一対として配設され、カバー部２３０の側面をなす。
（３）上側支持部２３３は、保持部２２０の第一の側面部２２２−１、第二の側面部２２２−２の先端と当接する第一の支持部である。
（４）下側支持部２３４は、取付部２２１に当接する第二の支持部である。
【００１８】
（主部２３１）
主部２３１は、発光素子基板２１０が照射する光を透過させ拡散させるものであり、発光素子基板２１０を覆う凸形状をしている。主部２３１は、一方のカバー側壁部２３２の端部Ｂ（端部２３１ａに一致）、他方のカバー側壁部２３２の端部Ｂ（端部２３１ｂに一致）を繋ぐように配設されている。言い換えれば、カバー側壁部２３２は端部Ａと端部Ｂとの間に形成されている。
【００１９】
（カバー側壁部２３２）
カバー側壁部２３２は、主部２３１の両端（端部Ｂ）に対になるよう配設される。カバー側壁部２３２は、器具本体１００の凹部１１１の第一の側壁部１１３−１、第二の側壁部１１３−２と略平行に形成されている。また、対になるカバー側壁部２３２の外側の面の距離である寸法Ｌ１（図９）は、図８に示す凹部１１１の巾である寸法Ｌ２（第一の側壁部１１３−１の内側面１１３−１ａと、第二の側壁部１１３−２の内側面１１３−２ａとの短手方向の距離）に対して、器具本体１００の凹部１１１に挿入可能に略同等の寸法に形成される。なお、挿入可能に略同等の寸法とは、光源ユニット２００が凹部１１１との間に形成される隙間をなるべく抑え、挿入できる寸法である。例えば寸法Ｌ１が５９ｍｍに対して寸法Ｌ２が６０ｍｍなどである。つまり、照明器具３００は、器具本体１００に光源ユニット２００が取り付けられた状態において、凹部１１１の短手方向Ｙにおける内側面１１３−１ａと、内側面１１３−２ａとの距離である凹部内側巾寸法Ｌ２から、カバー部２３０の短手方向Ｙにおける一方の先端部２３２ｂの外側面２３２ｃと他方の先端部２３２ｂの外側面２３２ｃとの距離である先端部外側巾寸法Ｌ１（図９）を引いた寸法が、０ｍｍ以上３ｍｍ以下である。つまり、照明器具３００は、器具本体１００に光源ユニット２００が取り付けられた状態において、図８の断面において、左右の各隙間を同じとすれば、各隙間は０ｍｍ以上１．５ｍｍ以下の範囲である。
【００２０】
また、図８に示すように、カバー側壁部２３２は、光源ユニット２００の器具本体１００への取り付けが完了して光源ユニット２００の一部が器具本体１００の凹部１１１に収納された際に、凹部１１１の開口部１１１ａ（図２の矩形ａｂｃｄ）から外側に露出する。器具本体１００への取付完了時に光源ユニット２００の一部が凹部１１１に収納された状態において、各上側支持部２３３が凹部１１１に収納される。
【００２１】
また、図８に示すように、各カバー側壁部２３２は、少なくとも一部が、発光素子２１２よりもＺ方向に位置する。このため発光素子２１２の発した光を各カバー側壁部２３２で拡散できるので、照明効果が向上する。光源ユニット２００は、各カバー側壁部２３２をつかまれて方向Ｚに引っ張られた場合、凹部１１１から引き出される。
【００２２】
図７に示すように、カバー側壁部２３２の周辺には破線で示す操作空間５００が確保されている。操作空間５００によって、着脱時に容易に光源ユニット２００のカバー側壁部２３２を掴むことができる。
【００２３】
（上側支持部２３３）
カバー部２３０は、上側支持部２３３を有する。図９に示すように、上側支持部２３３は、主部２３１の長手方向Ｘに沿う各カバー側壁部２３２の立ち上がりの終る端部Ａの上方に形成される傾斜部２３２−１の先端から、対になるように形成される。上側支持部２３３は、図９に示すように、側壁部２３３ａ，係合部２３３ｂ，反射リブ２３３ｃを備える。
（１）図９に示すように、側壁部２３３ａは傾斜部２３２−１の先端に中心軸と平行な壁形状に形成される。
（２）係合部２３３ｂは、側壁部２３３ａの上端部から水平方向に伸びるように形成されて、第一の側壁部２２２−１の上端部と係合する。
（３）反射リブ２３３ｃは、カバー側壁部２３２の外側に形成される。
【００２４】
（下側支持部２３４）
下側支持部２３４は、下側凸部２３４ａ，下側押圧部２３４ｂを備えている。
（１）図９に示すように、下側凸部２３４ａは、側壁部２３３ａの下端から他方の側壁部２３３ａの方向に伸びるように形成される。下側凸部２３４ａは発光素子基板２１０が取り付けられる保持部２２０の面２２１ａを覆うＺ方向に凸となる形状である。
（２）下側凸部２３４ａの短手方向Ｙの縁部は、取付部２２１の面２２１ａを押圧する下側押圧部２３４ｂをなす。
【００２５】
上側支持部２３３の係合部２３３ｂと、下側支持部２３４の下側押圧部２３４ｂとが、保持部２２０の第一の側面部２２２−１の先端および取付部２２１を挟持することで、カバー部２３０は保持部２２０に固定される。
【００２６】
（器具本体１００）
次に器具本体１００の構成を説明する。図４に示すように、器具本体１００は、凹部１１１、傾斜部１１４−１、１１４−２、蓋部１２０−１，１２０−２を備える。
（１）凹部１１１は長手方向Ｘに沿って略中央に形成される。
（２）斜部１１４−１、１１４−２は、凹部１１１の開口部１１１ａの長手側辺それぞれから被取付部方向へ互いに離れ，広がるように傾斜する。
（３）蓋部１２０−１，１２０−２は、長手方向の両端に配設され、長手方向Ｘの端部において、凹部１１１および傾斜部１１４−１、１１４−２を覆う。
（４）器具本体１００は、バネ部１３０、端子台１４０を備える。バネ部１３０は平板部１１２に配置され、光源ユニット２００に配置された連結金具２５０と連結する。
【００２７】
器具本体１００は、凹部１１１を備える。図４に示すように、凹部１１１は、長尺状の平板部１１２と、平板部１１２の長手方向Ｘに沿う一方の平板端部１１２ａと他方の平板端部１１２ｂとからそれぞれ立ち上がる第一の側壁部１１３−１及び第二の側壁部１１３−２とを有する凹形状をなし光源ユニット２００の一部を収納する。平板部１１２は天井などの取付部に当接する。開口部１１１ａの周部には開口縁部１１１ｂ（図８）が配設されている。平板部１１２には、バネ部１３０と端子台１４０が配設されている。また平板部１１２には、商用電源からの電力供給を受ける為の電源線を引き込む電源引込孔１１２ｃと、ボルトなどの取付材により被取付部へ固定する為の固定孔１１２ｄが形成されている。
【００２８】
図１０は、主部２３１の厚み変化を説明するための模式的なカバー断面図である。図１１〜図１３は、いずれも、主部２３１の厚み変化を説明するための図である。
【００２９】
（１）図１０に示すように、カバー部２３０の主部２３１は、両側領域２３６の厚みが、中央領域２３７よりも薄い。この構成により、主部２３１から出射される光の照射を主部２３１の短手方向Ｙにおいて、簡易な構成で均一に近づけることができる。中央領域２３７とは、主部２３１の凸断面形状２３０Ｄの短手方向Ｙにおいて、両側領域２３６に挟まれる領域である。
両側領域２３６は、中央領域２３７の両側に存在する。両側領域２３６は、左側の両側領域２３６は一方の端部２３１ａを含み、右側の両側領域２３６は他方の端部２３１ｂを含む領域である。
（２）図１０は、主部２３１の厚みという構造から、主部２３１から出射される光の照射を主部２３１の短手方向Ｙにおいて簡易な構成で均一に近づける構成であるが、主部２３１の拡散度という観点から光の照射の均一化を図ってもよい。例えば、図８の状態において主部２３１は、短手方向Ｙにおいて、光源である発光素子２１２から出射され主部２３１に到達する光の強さに応じた拡散度の場合である。より具体的には、主部２３１は、一方の端部２３１ａと他方の端部２３１ｂとを含む短手方向Ｙの両側領域２３６の光の拡散度が、短手方向Ｙの中央領域２３７よりも小さい構成の場合である。拡散度の調整は、主部２３１の厚み変化に限らず、あるいは厚みの変化に加え、主部２３１の表面加工や、主部２３１を構成する材料の成分構成で拡散度を調整してもよい。
（３）また、主部２３１は拡散度の観点からではなく光の透過率の観点から構成されてもよい。つまり両側領域２３６の光の透過率が中央領域２３７よりも大きい構成でもよい。透過率の場合も、主部２３１の厚みの他、主部２３１の表面加工や、主部２３１を構成する材料の成分構成で拡散度を調整してもよい。拡散度、透過率、厚みのいずれか一つ、あるいはいずれか二つ、あるいは三つ全部によって、簡易な構成で、短手方向Ｙの光の照射の均一化を向上させることができる。
【００３０】
図１１は、主部２３１の厚み変化を説明するための図である。図１１は、図８に相当する断面図である。「相当する」としたのは、図８ではハーネスクランプ２７０が現れている断面であるが図１１では連結金具２５０が現れている断面であるためである。カバー部２３０としては同じ断面である。
（１）図１１では、主部２３１は、凸断面形状２３０Ｄの外側表面２３１−２の曲率半径Ｒ２が、凸断面形状２３０Ｄの内側表面２３１−１の曲率半径Ｒ１と異なる断面図である。図１１の場合、一方の端部２３１ａと他方の端部２３１ｂとの間に挟まれる１点鎖線の上側（曲率半径Ｒ１）と下側（曲率半径Ｒ２）とが、それぞれ主部２３１の内側表面２３１−１と、外側表面２３１−２をなす。図１１では主部２３１の中央領域２３７の厚みが、両側領域２３６の厚みよりも厚い。
（２）図１１に示す主部２３１では、凸断面形状２３０Ｄの外側表面２３１−２の曲率半径Ｒ２が、凸断面形状２３０Ｄの内側表面２３１−１の曲率半径Ｒ１よりも小さい。つまりＲ２＜Ｒ１である。
（３）図１１に示す主部２３１では、凸断面形状２３０Ｄの外側表面２３１−２の曲率中心Ｏ（Ｒ２）が、凸断面形状２３０Ｄの内側表面２３１−１の曲率中心Ｏ（Ｒ１）と異なる位置する。具体的には、曲率中心Ｏ（Ｒ２）は中心軸１１上において、曲率中心Ｏ（Ｒ１）の下側にある。図１１の主部２３１では、両側領域２３６の厚みが、中央領域２３７よりも薄くなるので、主部２３１から出射される光の照射を主部２３１の短手方向Ｙにおいて、均一に近づけることができる。
【００３１】
図１２は、主部２３１の厚み変化を説明するための図である。図１２は、図１１と同じ断面図である。図１２の場合も図１１と同様に、一方の端部２３１ａと他方の端部２３１ｂとの間に挟まれる１点鎖線の上側（曲率半径Ｒ１）と下側（曲率半径Ｒ２）とが、それぞれ主部２３１の内側表面２３１−１と、外側表面２３１−２をなす。図１２の主部２３１は、凸断面形状２３０Ｄの外側表面２３１−２の曲率半径Ｒ２が、凸断面形状２３０Ｄの内側表面２３１−１の曲率半径Ｒ１と同じ長さであり、図示はしていなが曲率半径Ｒ２の曲率中心Ｏ（Ｒ２）は、中心軸１１上において、曲率半径Ｒ１の曲率中心Ｏ（Ｒ１）の下側にある。図１２の主部２３１でも、両側領域２３６の厚みが、中央領域２３７よりも薄くなるので、主部２３１から出射される光の照射を主部２３１の短手方向Ｙにおいて、均一に近づけることができる。
【００３２】
図１３は、主部２３１の厚み変化を説明するための、さらに別の図である。図１３は、図１１と同じ断面図である。図１３では、前述のように主部２３１は、断面の形状が、カバー側壁部２３２の立ち上がる方向と反対のＺ方向に凸となる凸断面形状２３０Ｄ形状である。主部２３１は、短手方向Ｙを左右方向とした場合に中心軸１１を対象軸とする左右対称の形状となる上記の凸断面形状２３０Ｄをなす。発光素子２１２は、図１３に示す断面において、凸断面形状２３０Ｄの中心軸１１と交わる。主部２３１は、図１３の断面において、中心軸１１が発光素子２１２の発光面２１２Ｓと交わる交点Ｐと、凸断面形状２３０Ｄの内側表面２３１−１との距離Ｌｋ（Ｌ１，Ｌ２等）に応じて、距離Ｌｋをなす内側表面２３１−１の箇所Ｌｐ１，Ｌｐ２における厚みｔｋ（ｋ＝１，２）が変化する。図１３では距離Ｌ１における箇所Ｌｐ１での厚みをｔ１、距離Ｌ２における箇所Ｌｐ２でお厚みをｔ２とすると、ｔ１＞ｔ２である。なお距離Ｌｋをなす箇所Ｌｐｋ（ｋ＝１，２、・・・）における主部２３１の厚みｔｋとは、距離Ｌｋをなす内側表面２３１−１の箇所Ｌｐｋにおける接線に対する直角方向の厚みである。距離Ｌｋは図１４の角度θで決まる長さである。角度θが大きいほど距離Ｌｋは長くなり、距離Ｌｋが長いほど、距離Ｌｋにおける主部２３１の厚みｔｋは薄くなる。よって、図１３の主部２３１でも、両側領域２３６の厚みが、中央領域２３７よりも薄くなるので、主部２３１から出射される光の照射を主部２３１の短手方向Ｙにおいて、均一に近づけることができる。なお、図１１、図１２のＬ１，Ｌ２、θ等も図１３と同じ意味であり、図１４の説明は図１１、図１２にも当てはまる。
【００３３】
実施の形態２．
実施の形態２では、主に、実施の形態１と異なる点について説明する。実施の形態２は、実施の形態１で説明した照明器具３００の６つのバリエーションである３００−１，３００−２，３００−３，３００−４，３００−５，３００−６について説明する。６つのバリエーションを照明器具３００−１〜照明器具３００−６と記す。実施の形態２において、実施の形態１と同様の構成部については同一の符号を付し、その説明を省略する。
【００３４】
実施の形態２に係る照明器具３００−１〜３００−６では、実施の形態１で説明した光源ユニット２００と同一の光源ユニットを備える。照明器具３００−１〜３００−６が実施の形態１と異なる点は、器具本体２００−ｋ（ｋは１〜６）の形状である。ただし、器具本体１００−ｋの凹部１１１の構成は、実施の形態１で説明した凹部１１１の構成と同一である。よって、光源ユニット２００と凹部１１１との取付構造は、実施の形態１で説明した取付構造と同一であり、実施の形態１で説明した構成及び効果は実施の形態２の照明器具３００−１〜３００−６についても適用することができる。
【００３５】
実施の形態１で説明した照明器具３００は、図７に示す器具本体１００の上面を天井面等の取付部に直付けする直付けタイプの照明器具である。図７の器具本体１００の短手方向の幅Ｌ（０）は、例えば、１５０ｍｍである。また、照明器具１０の傾斜部水平面から角度θ傾斜している。
【００３６】
（バリエーション１）
図１４は、照明器具３００−１の斜視図である。図１５は、図１４のＢ−Ｂ断面図である。照明器具３００−１は、直付けタイプである。照明器具３００−１は、器具本体１００−１の形状が器具本体１００と異なる。照明器具３００−１の短手方向の幅Ｌ（１）は照明器具３００の短手方向の幅Ｌ（０）の１．４〜１．７倍である。照明器具３００−１の短手方向の幅Ｌ（１）は、例えば、２３０ｍｍである。照明器具３００−１の傾斜部の水平面からの角度θは、図７の角度θよりも小さい。
【００３７】
（バリエーション２）
図１６は、照明器具３００−２の斜視図である。図１７は図１６のＢ−Ｂ断面図である。
照明器具３００−２は、直付けタイプである。照明器具３００−２は、器具本体１００−２の形状が照明器具３００の器具本体１００と異なる。照明器具３００−２は、器具本体１００−２が光を反射させる構成を備えていないトラフタイプの照明器具である。
【００３８】
（バリエーション３）
図１８は、照明器具３００−３の斜視図である。図１９は図１８のＢ−Ｂ断面図である。照明器具３００−３は、直付けタイプである。照明器具３００−３は、器具本体１００−３の形状が照明器具３００の器具本体１００と異なる。照明器具３００−３は、器具本体１００−３の傾斜部が凹部１１１の下方に向かって広がるように形成された反射笠タイプの照明器具である。
【００３９】
（バリエーション４）
図２０は、照明器具３００−４の斜視図である。図２１は、図２０のＢ−Ｂ断面図である。照明器具３００−４は、天井面等の取付部に形成された取付孔に埋め込まれて取り付けられる埋込タイプの照明器具である。照明器具３００−４は、器具本体１００−４の形状が照明器具１０の器具本体１００と異なる。照明器具３００−４の短手方向の幅Ｌ（４）は、例えば１５０ｍｍである。
【００４０】
（バリエーション５）
図２２は、照明器具３００−５の斜視図である。図２３は、図２２のＢ−Ｂ断面図である。照明器具３００−５は、埋込タイプの照明器具である。照明器具３００−５は、器具本体１００−５の形状が照明器具３００の器具本体１００と異なる。照明器具３００−５の短手方向の幅Ｌ（５）は、器具本体１００−４の短手方向の幅Ｌ（４）の０．６〜０．７倍である。照明器具３００−５の短手方向の幅Ｌ（５）は、例えば、１００ｍｍである。
【００４１】
（バリエーション６）
図２４は、照明器具３００−６の斜視図である。図２５は、図２４のＢ−Ｂ断面図である。照明器具３００−６は、埋込タイプの照明器具である。照明器具３００−６は、器具本体１００−６の形状が照明器具３００の器具本体１００と異なる。照明器具３００−６は、Ｃチャンネル回避型の照明器具である。照明器具３００−６は、埋め込まれる器具本体１００−６の高さＨ（６）が、図２１に示す器具本体１００−４の高さＨ（４）や図２３に示す器具本体１００−５の高さＨ（５）よりも低い。照明器具３００−６の短手方向の幅Ｌ（６）は、照明器具３００−５の短手方向の幅Ｌ（５）の１．８〜２．２倍である。照明器具３００−６の短手方向の幅Ｌ（６）は、例えば、２２０ｍｍである。
【００４２】
上述したように、光源ユニット２００と凹部１１１との取付構造は、実施の形態１で説明した取付構造と同一である。よって実施の形態１で説明した構成及び効果は実施の形態２の照明器具３００−１〜３００−６についても当てはまる。
【符号の説明】
【００４３】
Ｘ  長手方向、Ｙ  短手方向、Ｐ  交点、Ｒ１，Ｒ２  曲率半径、Ｏ（Ｒ１），Ｏ（Ｒ２）  曲率中心、１１  中心軸、１００  器具本体、１１１  凹部、１１１ａ  開口部、１１１ｂ  開口縁部、１１２  平板部、１１２ａ  一方の平板端部、１１２ｂ  他方の平板端部、１１２ｃ  電源引込孔、１１２ｄ  固定孔、１１３−１  第一の側壁部、１１３−２  第二の側壁部、１１３−１ａ  内側面、１１３−２ａ  内側面、１１４−１，１１４−２  傾斜部、１２０−１，１２０−２  蓋部、１３０  バネ部、３１  バネ固定部、１４０  端子台、２００  光源ユニット、２１０  発光素子基板、２１１  基板、２１２  発光素子、２１２Ｓ  発光面、２２０  保持部、２２１  取付部、２２１ａ  面、２２１ｂ  面、２２２−１  第一の側面部、２２２−２  第二の側面部、２２９  貫通孔、２３０  カバー部、２３０Ｄ  凸断面形状、２３１  主部、２３１−１  内側表面、２３１−２  外側表面、２３１ａ  一方の端部、２３１ｂ  他方の端部、２３２  カバー側壁部、２３２−１  傾斜部、２３３  上側支持部、２３３ａ  側壁部、２３３ｂ  係合部、２３３ｃ  反射リブ、２３４  下側支持部、２３４ａ  下側凸部、２３４ｂ  下側押圧部、２３５  変形許容空間、２３６  両側領域、２３７  中央領域、２４０  光源蓋部、２５０  連結金具、２６０  電源装置、２７０  ハーネスクランプ、３００  照明器具、５００  操作空間。
【図１】
0006558939.tif 000002
【図２】
0006558939.tif 000003
【図３】
0006558939.tif 000004
【図４】
0006558939.tif 000005
【図５】
0006558939.tif 000006
【図６】
0006558939.tif 000007
【図７】
0006558939.tif 000008
【図８】
0006558939.tif 000009
【図９】
0006558939.tif 000010
【図１０】
0006558939.tif 000011
【図１１】
0006558939.tif 000012
【図１２】
0006558939.tif 000013
【図１３】
0006558939.tif 000014
【図１４】
0006558939.tif 000015
【図１５】
0006558939.tif 000016
【図１６】
0006558939.tif 000017
【図１７】
0006558939.tif 000018
【図１８】
0006558939.tif 000019
【図１９】
0006558939.tif 000020
【図２０】
0006558939.tif 000021
【図２１】
0006558939.tif 000022
【図２２】
0006558939.tif 000023
【図２３】
0006558939.tif 000024
【図２４】
0006558939.tif 000025
【図２５】
0006558939.tif 000026